(57)【要約】  レチクルは画像化システムによって検査されてレチクル上の構造の測定画像を取得し、構造は未知の限界寸法（ＣＤ）を有する。モデルを用いて、構造をレチクル上に形成するために用いるパターンを記載する設計データベースを使用して、算出画像が生成される。モデルは、構造のレチクル材料の光学的特性、画像化システムの計算モデルおよび調節可能なＣＤに基づいて算出画像を生成する。測定および算出画像の間の差のノルムは、調節可能なＣＤを調節して、構造の未知のＣＤに対する最終的なＣＤを取得するように算出画像を生成する動作を反復的に繰り返すことによって最小化される。差のノルムを最小化することは、画像化システムの調節可能なＣＤおよび１つまたは複数の不確実パラメータに関して同時に実行される。
2018527619.tif 000002
【特許請求の範囲】
【請求項１】
レチクル上の限界寸法バイアスを測定する方法であって、
前記レチクル上の構造の測定画像を取得するために画像化システムによって前記レチクルを検査することであって、前記構造は未知の限界寸法値を有する、検査することと、
モデルを用いて、前記構造を前記測定画像が取得された前記レチクルの上に形成するために用いたパターンを記述する設計データベースを使用して算出画像を生成することであって、前記モデルは、前記構造に対応するレチクル材料の光学的特性と、前記画像化システムの計算モデルと、調節可能な限界寸法とに基づいて前記算出画像を生成する、生成することと、
最終的なモデル限界寸法に結果としてなるように前記調節可能な限界寸法を調節して、反復的に算出画像を生成する動作を繰り返すことによって、前記測定および算出画像の差のノルムを最小化することであって、前記差の前記ノルムを最小化することは、前記調節可能な限界寸法および前記画像化システムの１つまたは複数の不確実パラメータに関して同時に実行される、最小化することと、
前記未知の限界寸法値を前記差の前記ノルムの最小化に結果としてなった前記最終的な限界寸法として定義することと
を含むことを特徴とする方法。
【請求項２】
請求項１に記載の方法であって、前記測定画像は、前記算出画像の同じ複数のｘｙ位置に対応する複数のｘｙ位置での複数の強度値から成ることを特徴とする方法。
【請求項３】
請求項２に記載の方法であって、前記測定画像は、検査ツールの異なる動作用パラメータに対する複数のビューのために取得される前記構造の複数の測定画像を含み、前記算出画像は、前記複数のビューに対する前記構造に対する複数の算出画像から成るように生成されることを特徴とする方法。
【請求項４】
請求項３に記載の方法であって、前記ビューは反射光および透過光の検出を含むことを特徴とする方法。
【請求項５】
請求項４に記載の方法であって、前記ビューは、焦点オフセット、照明の瞳分布、前記照明の偏光状態、収集光学部品の開口数、開口形状、瞳フィルタ設定、またはアナライザ設定のうち１つまたは複数に対する異なる設定を含むことを特徴とする方法。
【請求項６】
請求項１に記載の方法であって、前記画像化システムの前記計算モデルは前記画像化システム上で測定された収差特性を含むことを特徴とする方法。
【請求項７】
請求項１に記載の方法であって、最小化される前記差の前記ノルムは、以下の通り、
【数１】
2018527619.tif 000007
であり、ここで、
Ｉｃａｌｃ（ｘ，ｙ，ｖ，ＣＤ，ｐ）は、ｘ，ｙ位置、ビューｖ、限界寸法ＣＤおよび１つまたは複数の未知の画像化システムパラメータｐの関数としての前記算出画像の複数の強度値であり、
Ｉｍｅａｓ（ｘ，ｙ，ｖ）は、ｘ，ｙ位置およびビューｖの関数としての前記測定画像の複数の強度値であり、
ｗ（ｘ，ｙ，ｖ）は、ｘ，ｙ位置およびビューｖの関数としての複数の重みである
ことを特徴とする方法。
【請求項８】
請求項１に記載の方法であって、前記測定および算出画像の間の前記差の前記ノルムは、測定および算出画像ピクセル値の差の平方和であることを特徴とする方法。
【請求項９】
請求項１に記載の方法であって、前記測定および算出画像の前記差の前記ノルムは、測定および算出画像ピクセル値の差の絶対値の和であることを特徴とする方法。
【請求項１０】
請求項１に記載の方法であって、前記システムの前記１つまたは複数の不確実パラメータは、焦点および照度のうち１つまたは複数を含むことを特徴とする方法。
【請求項１１】
請求項１に記載の方法であって、前記測定および算出画像はそれぞれ、複数のビューで得られる画像のセット、反射または透過モードを含む少なくとも１つまたは複数の画像化パラメータによって異なっている２つのビュー、照明瞳分布、照明偏光、収集瞳開口数および形状、焦点設定、ならびに、瞳フィルタ位相および振幅を含むことを特徴とする方法。
【請求項１２】
請求項１に記載の方法であって、最小化される前記差の前記ノルムは、以下の通り、
【数２】
2018527619.tif 000008
であり、ここで、
Ｉｃａｌｃ（ｘ，ｙ，ｖ，ＣＤ，ｐ）は、ｘ，ｙ位置、ビューｖ、限界寸法ＣＤおよび１つまたは複数の未知の画像化システムパラメータｐの関数としての前記算出画像の複数の強度値であり、
Ｉｍｅａｓ（ｘ，ｙ，ｖ）は、ｘ，ｙ位置およびビューｖの関数としての前記測定画像の複数の強度値であり、
σ（ｘ，ｙ，ｖ）は、ビューｖのピクセル（ｘ，ｙ）の強度測定の不確実度であり、
ｐｉは、前記画像化システムの第ｉ番目の不確実パラメータであり、
Ｅ（ｐｉ）は、ｐｉの期待値であり、
σ（ｐｉ）は、ｐｉの前記不確実度である
ことを特徴とする方法。
【請求項１３】
請求項１に記載の方法であって、
前記レチクル全体の複数の構造に対して、前記複数の構造のそれぞれのために、検査する動作、算出画像を生成する動作、ノルムを最小化する動作、および前記未知の限界寸法を定める動作を繰り返して、前記レチクル全体の前記複数の構造に対する複数の最終的な限界寸法を取得し、このことにより限界寸法均一性（ＣＤＵ）マップを生成することと、
前記ＣＤＵマップを分析して、前記レチクルに欠陥があって修復されるかもしくは廃棄されるべきか、または、前記レチクルが半導体のウェーハを製造するために用いることになるかどうかを決定することと
を更に含むことを特徴とする方法。
【請求項１４】
レチクル上の限界寸法バイアスを測定するための検査システムであって、
入射ビームを生成して前記レチクルに方向を定めるための照明光学部品と、
前記入射ビームに応答して前記レチクルからの画像を検出するための出力光学部品と、
少なくとも１つのメモリおよび少なくとも１つのプロセッサであって、
前記レチクル上の構造の測定画像を取得するために前記検査システムによって前記レチクルを検査する動作であって、前記構造は未知の限界寸法値を有する、検査する動作と、
モデルを用いて、前記構造を前記測定画像が取得された前記レチクルの上に形成するために用いたパターンを記述する設計データベースを使用して算出画像を生成する動作であって、前記モデルは、前記構造に対応するレチクル材料の光学的特性と、画像化システムの計算モデルと、調節可能な限界寸法とに基づいて前記算出画像を生成する、生成する動作と、
最終的なモデル限界寸法に結果としてなるように前記調節可能な限界寸法を調節して、反復的に算出画像を生成する前記動作を繰り返すことによって、前記測定および算出画像の差のノルムを最小化する動作であって、前記差の前記ノルムを最小化する動作は、前記調節可能な限界寸法および前記画像化システムの１つまたは複数の不確実パラメータに関して同時に実行される、最小化する動作と、
前記未知の限界寸法値を前記差の前記ノルムの最小化に結果としてなった前記最終的な限界寸法として定義する動作と
を開始するように構成される少なくとも１つのメモリおよび少なくとも１つのプロセッサと
を含むことを特徴とするシステム。
【請求項１５】
請求項１４に記載のシステムであって、前記測定画像は、前記算出画像の同じ複数のｘｙ位置に対応する複数のｘｙ位置での複数の強度値から成ることを特徴とするシステム。
【請求項１６】
請求項１５に記載のシステムであって、前記測定画像は、検査ツールの異なる動作用パラメータに対する複数のビューのために取得される前記構造の複数の測定画像を含み、前記算出画像は、前記複数のビューに対する前記構造に対する複数の算出画像から成るように生成されることを特徴とするシステム。
【請求項１７】
請求項１６に記載のシステムであって、前記ビューは、反射および透過光の検出、ならびに、焦点オフセット、照明の瞳分布、前記照明の偏光状態、収集光学部品の開口数、開口形状、瞳フィルタ設定、またはアナライザ設定のうち１つまたは複数に対する異なる設定、のうち２つ以上を含むことを特徴とするシステム。
【請求項１８】
請求項１４に記載のシステムであって、前記画像化システムの前記計算モデルは前記画像化システム上で測定された収差特性を含むことを特徴とするシステム。
【請求項１９】
請求項１４に記載のシステムであって、前記測定および算出画像の前記差の前記ノルムは、測定および算出画像ピクセル値の差の平方和であることを特徴とするシステム。
【請求項２０】
請求項１４に記載のシステムであって、前記システムの前記１つまたは複数の不確実パラメータは、焦点および照度のうち１つまたは複数を含むことを特徴とするシステム。
【請求項２１】
請求項１４に記載のシステムであって、前記測定および算出画像はそれぞれ、複数のビューで得られる画像のセット、反射または透過モードを含む少なくとも１つまたは複数の画像化パラメータによって異なっている２つのビュー、照明瞳分布、照明偏光、収集瞳開口数および形状、焦点設定、ならびに、瞳フィルタ位相および振幅を含むことを特徴とするシステム。
【請求項２２】
請求項１４に記載のシステムであって、
前記レチクル全体の複数の構造に対して、前記複数の構造のそれぞれのために、検査する前記動作、算出画像を生成する前記動作、ノルムを最小化する前記動作、および前記未知の限界寸法を定める前記動作を繰り返して、前記レチクル全体の前記複数の構造に対する複数の最終的な限界寸法を取得し、このことにより限界寸法均一性（ＣＤＵ）マップを生成することと、
前記ＣＤＵマップを分析して、前記レチクルに欠陥があって修復されるかもしくは廃棄されるべきか、または、前記レチクルが半導体のウェーハを製造するために用いることになるかどうかを決定することと
を更に含むことを特徴とするシステム。
【請求項２３】
コンピュータ可読媒体であって、
前記レチクル上の構造の測定画像を取得するために画像化システムによって前記レチクルを検査する動作であって、前記構造は未知の限界寸法値を有する、検査する動作と、
モデルを用いて、前記構造を前記測定画像が取得された前記レチクルの上に形成するために用いたパターンを記述する設計データベースを使用して算出画像を生成する動作であって、前記モデルは、前記構造に対応するレチクル材料の光学的特性と、前記画像化システムの計算モデルと、調節可能な限界寸法とに基づいて前記算出画像を生成する、生成する動作と、
最終的なモデル限界寸法に結果としてなるように前記調節可能な限界寸法を調節して、反復的に算出画像を生成する前記動作を繰り返すことによって、前記測定および算出画像の差のノルムを最小化する動作であって、前記差の前記ノルムを最小化する動作は、前記調節可能な限界寸法および前記画像化システムの１つまたは複数の不確実パラメータに関して同時に実行される、最小化する動作と、
前記未知の限界寸法値を前記差の前記ノルムの最小化に結果としてなった前記最終的な限界寸法として定義する動作と
を実行するためのその上に格納される命令を有することを特徴とするコンピュータ可読媒体。
【発明の詳細な説明】
【技術分野】
【０００１】
本発明は、概してレチクル計測などの半導体計測の分野に関する。より詳細には、本発明は、レチクル上の特徴の寸法を計測する方法に関する。
【背景技術】
【０００２】
関連出願の相互参照
本出願は、米国特許法第１１９条の下で、２０１５年９月４日に出願のアブドゥラフマン  セズジナー（Ａｂｄｕｒｒａｈｍａｎ  Ｓｅｚｇｉｎｅｒ）らによる「Ｍｏｄｅｌ−Ｂａｓｅｄ  ＣＤ  Ｍｅａｓｕｒｅｍｅｎｔ」と題する米国仮出願第６２／２１４，４７２号の優先権を主張し、その出願は全ての目的のためにその全体を本願に引用して援用する。
【０００３】
一般に半導体製造の産業は、シリコンなどの基板上へ層構造にされてパターン化される半導体材料を使用して集積回路を製造するための、非常に複雑な技術を必要とする。集積回路は、通常は複数のレチクルから製造される。初めに、回路設計者は、特定の集積回路（ＩＣ）設計を記述する回路パターンデータまたは設計データベースをレチクル製造システムまたはレチクルライタに提供する。回路パターンデータは、一般には製造されるＩＣデバイスの物理層を表すレイアウトの形である。表されるレイアウトは、ＩＣデバイスの各物理層（例えば、ゲート酸化膜、ポリシリコン、メタライゼーションなど）のための表現層を含み、ここで、各表現層は特定のＩＣデバイスの層のパターニングを画定する複数のポリゴンから成る。レチクルライタは回路パターンデータを使用して、特定のＩＣ設計を製造するために後で用いる複数のレチクルを書き込む（例えば、通常は、電子ビームライタまたはレーザスキャナを用いてレチクルパターンを露光させる）。
【０００４】
各レチクルまたはフォトマスクは通常、少なくとも透明なおよび不透明な領域ならびに、時には半透明の領域および移相領域を含んでいる光学素子であり、そして、それらは集積回路などの電子デバイスの同一表面の特徴のパターンを一緒に画定する。レチクルがフォトリソグラフィ中に使われて、エッチング、イオン注入または他の製造プロセスのための半導体のウェーハの指定された領域を画定する。
【０００５】
レチクル検査システムは、レチクルの製造の間、または、フォトリソグラフィにおけるこのようなレチクルの使用の後に発生した可能性がある限界寸法均一性問題などの欠陥に対して、レチクルを検査することができる。回路集積の大規模化および半導体デバイスのサイズの減少のため、製造されるデバイスは、欠陥にますます影響されるようになった。すなわち、デバイスの障害を起こす欠陥はより小さくなってきている。したがって、レチクルの特性をモニタするための検査技術の改良が継続的に求められている。
【先行技術文献】
【特許文献】
【０００６】
【特許文献１】米国特許出願公開第２０１５／０１４４７９８号
【発明の概要】
【課題を解決するための手段】
【０００７】
以下は、本発明の一定の実施形態の基本的な理解を提供するために、本開示の簡略化された概要を提示する。この概要は本開示の広範囲な概要でなく、そして、それは鍵となる／重要な本発明の要素を特定するものではなく、本発明の範囲を詳細に描写するものではない。その唯一の目的は、後で示すより詳細な説明の序文として、本明細書で開示するいくつかの概念を簡略形式で示すことである。
【０００８】
一実施形態において、レチクル上の限界寸法バイアスを測定するための方法と装置が開示される。レチクルは画像化システムによって検査されてレチクル上の構造の測定画像が取得され、そして、その構造は未知の限界寸法（ＣＤ）を有する。モデルを用いて、構造をレチクル上に形成するために用いるパターンを記載する設計データベースを使用して、算出画像が生成される。モデルは、構造のレチクル材料、画像化システムの計算モデルおよび調節可能なＣＤの光学的特性に基づいて、算出画像を生成する。調節可能なＣＤを調節して、反復的に構造の未知のＣＤ用の最終的なＣＤを取得するように算出画像を生成する動作を繰り返すことによって、測定および算出画像の差のノルムは、最小化される。差のノルムを最小化することは、調節可能なＣＤおよび画像化システムの１つまたは複数の不確実パラメータに関して同時に実行される。
【０００９】
具体的な実装においては、測定画像は、算出画像の同じ複数のｘｙ位置に対応する複数のｘｙ位置における複数の強度値から成る。更なる態様において、測定画像は、検査ツールの異なる動作用パラメータに対する複数のビューのために取得される構造の複数の測定画像を含み、算出画像は、複数のビューのための構造に対する複数の算出画像から成るように生成される。別の態様においては、ビューは、反射光および透過光の検出を含む。更なる実施形態では、ビューは、焦点オフセット、照明の瞳分布、照明の偏光状態、収集光学部品の開口数、開口形状、瞳フィルタ設定またはアナライザ設定のうち１つまたは複数に対する異なる設定を含む。
【００１０】
別の実施例では、画像化システムの計算モデルは、画像化システム上で測定された収差特性を含む。別の態様においては、測定および算出画像の差のノルムは、測定および算出画像ピクセル値の差の平方和である。代替の実施形態において、測定および算出画像の差のノルムは、測定および算出画像ピクセル値の差の絶対値の和である。別の実施形態では、システムの１つまたは複数の不確実パラメータは、焦点および照度のうち１つまたは複数を含む。具体的な実施例としては、測定および算出画像はそれぞれ、複数のビューで得られる画像のセット、反射または透過モードを含む少なくとも１つまたは複数の画像化パラメータによって異なっている２つのビュー、照明瞳分布、照明偏光、収集瞳開口数および形状、焦点設定、ならびに、瞳フィルタ位相および振幅を含む。
【００１１】
別の実施例では、レチクル全体の複数の構造に対して、複数の構造のそれぞれのために、検査する動作、算出画像を生成する動作、ノルムを最小化する動作、および未知の限界寸法を定める動作が繰り返されて、レチクル全体の複数の構造に対する複数の最終的な限界寸法を取得し、このことにより限界寸法均一性（ＣＤＵ）マップを生成する。ＣＤＵマップを分析して、レチクルに欠陥があって修復されるかもしくは廃棄されるべきか、または、レチクルが半導体のウェーハを製造するために用いることになるかどうかを決定する。
【００１２】
代替の実施形態において、本発明は、レチクル上の限界寸法バイアスを測定するための検査システムに関係する。システムは、入射ビームを生成し、そして入射ビームに応答してレチクルから実際の画像を検出するためのレチクルおよび出力光学部品上へ入射ビームの方向を定めるための、照明光学部品を含む。システムは、上記の記載された動作のうち１つまたは複数を開始するように構成される少なくとも１つのメモリおよび少なくとも１つのプロセッサを更に含む。他の実施形態において、本発明は、少なくとも上記の記載された動作のいくつかを実行するためにその上に格納される命令を有するコンピュータ読取り可能な媒体に関係する。
【００１３】
これらの、そしてまた他の本発明の態様は、図面を参照して更に以下に記載される。
【図面の簡単な説明】
【００１４】
【図１】本発明の一実施形態による限界寸法（ＣＤ）測定プロセスのフローチャートである。
【図２】マスク上の三次元パターンの物理モデルの表現の横断面図である。
【図３】本発明の一実施形態による算出および測定レチクル画像の間の回帰分析を実行することからの結果のグラフである。
【図４】本発明の一実施形態によるＣＤ均一性（ＣＤＵ）マップ解析手順を例示するフローチャートである。
【図５】本発明の技術を行うことができる例示検査システムの図である
【図６Ａ】一定の実施形態によるフォトマスクからマスクパターンをウェーハに転写するリソグラフィシステムの簡略図である。
【図６Ｂ】一定の実施形態によるフォトマスク検査装置の概略図を提供する。
【発明を実施するための形態】
【００１５】
以下の説明では、本発明の完全な理解を提供するために多数の具体的な詳細を記載する。本発明は、これらの具体的な詳細の一部もしくは全部がなくても実践することができる。他の例では、本発明をわかりにくくすることを避けるため、公知のプロセス動作については詳述しない。本発明は一定の実施形態と併せて説明するが、それが本発明をこれらの一定の実施形態に限定することを目的としないことが理解される。
【００１６】
本発明の一定の実施形態は、レチクルを検査して欠陥または、より詳しくは、レチクル機能の特性、例えば限界寸法（ＣＤ）の変動を検出するための技術およびシステムを提供する。以下の例示の実施形態がレチクルに関して記載されているが、いかなる適切なタイプのサンプル（例えば、ウェーハ）もこのような技術またはシステムを使用してモニタすることができる。加えて、以下の例示の実施形態は、ＣＤ変動の他に、例えば、高さ均一性、サイドウオール角度均一性、表面粗さ均一性、ペリクル透過率均一性、水晶透過率均一性などについての他のサンプル特性値のモニタリングに適用することができる。
【００１７】
用語「レチクル」は、一般に、その上に不透明材料の層が形成されているガラス、硼珪酸塩ガラス、水晶または石英ガラスなどの透明基板を含む。不透明な（または実質的に不透明な）材料は、フォトリソグラフィで用いる光（例えば、深紫外線）を完全に、または、部分的に遮断する任意の適切な材料を含むことができる。例示材料は、クロム、ケイ化モリブデン（ＭｏＳｉ）、ケイ化タンタル、ケイ化タングステン、ガラス上の不透明ＭｏＳｉ（ＯＭＯＧ）などを含む。ポリシリコン膜を不透明層と透明基板の間に追加して、粘着を改善することもできる。低反射膜、例えば酸化モリブデン（ＭｏＯ２）、酸化タングステン酸化（ＷＯ２）、酸化チタン（ＴｉＯ２）または酸化クロム（ＣｒＯ２）は、不透明材料上に形成することができる。
【００１８】
用語レチクルは、異なるタイプのレチクルを指し、限定するものではないが、クリアフィールドレチクル、ダークフィールドレチクル、バイナリレチクル、移相マスク（ＰＳＭ）、交互ＰＳＭ、減衰またはハーフトーンＰＳＭ、三値減衰ＰＳＭ、そして、クロムレス移相リソグラフィＣＰＬマスクを含む。クリアフィールドレチクルは透明であるフィールドまたは背景領域を有し、ダークフィールドレチクルは不透明であるフィールドまたは背景領域を有する。バイナリレチクルは、透明であるかまたは不透明であるパターン化した領域を有するレチクルである。例えば、クロム金属吸着膜によって画定されるパターンを有する透明な石英ガラスブランクから作られるフォトマスクが使用可能である。バイナリレチクルは移相マスク（ＰＳＭ）とは異なり、そして、その１つのタイプは光を部分的にしか透過させない膜を含むことができ、これらのレチクルは一般にハーフトーンまたは埋め込み移相マスク（ＥＰＳＭ）と呼ぶことができる。移相材料がレチクルの交互のクリアなスペースに配置される場合、レチクルは交互ＰＳＭ、ＡＬＴ  ＰＳＭまたはＬｅｖｅｎｓｏｎ  ＰＳＭと呼ばれる。任意のレイアウト図に適用される１種類の移相材料は、減衰またはハーフトーンＰＳＭと呼ばれ、これは不透明材料を部分的に透過する膜つまり「ハーフトーン」膜に置き換えることによって製造することができる。三値減衰ＰＳＭは、完全に不透明な特徴をも含む減衰ＰＳＭである。
【００１９】
一般に、不透明な、吸収性の、部分的に不透明な移相材料は、限界寸法（ＣＤ）幅により設計されて形成されるパターン構造に形成され、それはまた、ＣＤを有する構造の間のクリアなスペースに結果としてなる。特定のＣＤ値は通常、特定のレチクル機能がフォトリソグラフィープロセスにおいてウェーハに転写される方法に影響を及ぼすことができ、そして、そのようなＣＤがこの転写プロセスを最適化するために選ばれる。別の言い方をすれば、あるレチクル機能のＣＤ値が指定されたＣＤ範囲の中にある場合、このようなＣＤ値は、回路設計者によって意図されるように、結果として得られる集積回路の適正な動作を可能とする対応するウェーハ機能の製造という結果をもたらす。特徴は通常、集積チップ面積を節約するような演算回路にも結果としてなる最小寸法で形成される。
【００２０】
新しく製造されたレチクルは、ＣＤ（または他の膜またはパターン特性）欠陥問題を含み得る。例えば、レチクルは、マスクライタのスワスエラーなどの不完全なＣＤ領域を有し得る。レチクルは、多くの異なる方法で時間とともに損傷を受けることもあり得る。第１の劣化の例として、フォトリソグラフィ露光プロセスの結果、レチクルの不透明材料の物理劣化となる場合がある。例えば、レチクルに使われる、１９３ｎｍの高出力深紫外線（ＵＶ）ビームなどの高出力ビームは、レチクル上の不透明材料に、損傷を物理的に引き起こす場合がある。損傷は、２４８ｎｍの紫外線ビームなどの他の波長によって生じる場合もある。実質的に、紫外線ビームはレチクル上の不透明なパターンを物理的に沈み込ませることがあり得て、特徴を平坦化させる。その結果、不透明な特徴は本来のＣＤ幅と比較して、著しくより大きいＣＤ幅となることがあり得て、その一方で、このような不透明な特徴間のスペーシングは本来のＣＤ幅と比較して、かなり小さいＣＤ幅となることがあり得る。他のタイプのＣＤ劣化が、レチクル特徴（ＭｏＳｉ）と照射光、クリーニングプロセス、汚染などとの間の化学反応によって生じる場合がある。これらの物理的な作用は、時間とともにレチクルの限界寸法（ＣＤ）に悪影響を与えることもあり得る。
【００２１】
この劣化の結果、特徴ＣＤ値は著しく変化してしまうことがあり、レチクル全体のＣＤ均一性に影響を及ぼして、ウェーハ収率に悪影響を与える。例えば、マスクの一部のマスク特徴幅は、本来の線幅ＣＤより著しく大きくなり得る。例えば、レチクルの中心がレチクルのエッジとは異なるＣＤを有することによって、半径方向のＣＤ不均一のパターンが生じる場合がある。
【００２２】
ある従来のＣＤ測定技術は、試験中のオブジェクトのデジタル化画像を利用する。強度閾値が画像に適用され、強度画像が閾値に等しいエッジの位置が見つかる。それから、これらのエッジの間の距離を判定することができる。一実装では、閾値は等焦点閾値であるように選択され、それによって焦点を変えることによる測定の不安定さを最小限となるようにする。
【００２３】
レチクル画像に実行されるこの寸法測定技術は、強度スケールにおける誤差および画像化システムの収差に影響される。加えて、正確な等焦点状態は、いつでも達成できるわけではない。照明のレチクルとの相互作用も、正確に同じとは考えられない。このように、測定した距離の幾何学的または物理的意味は、特に任意の二次元のパターンについては不明確であり、結果としてＣＤ測定の正確さに対しては容認できないレベルになる。
【００２４】
本発明の一定の技術において、試験中のオブジェクト（例えば、レチクル）は照明を当てられて、その画像は検出器の上に形成される。それから、検出器の出力は、デジタル化されて、更に処理することができる。それから、特徴の限界寸法（ＣＤ）は、計算モデルによって算出される画像を、画像化システムによって得られる（測定される）画像に反復的にすり合わせてみることにより測定することができる。レチクルが検査ツールの解画像限界であるパターンを有するとしても、モデルはレチクルから取得されるこのような実際の画像と同等の画像をシミュレーションすることができる。
【００２５】
図１は、本発明の一実施形態によるレチクル検査プロセス１００のフローチャートである。示すように、レチクル画像１０２は画像化システム１０４に提供されて、レチクル画像１０６を取得することができる。レチクルは、設計データベースに基づいて製造されたものである。レチクル画像１０６は、米国カリフォルニア州ミルピタスのＫＬＡ−Ｔｅｎｃｏｒ社から入手可能なＴｅｒｏｎ６４０などの任意のツールを使用して取得することができる。レチクル画像１０６は、通常、画像またはフィールド平面において取得されるぼやけた画像（例えば、レチクルパターンのぼやけたレプリカ）である。以下の説明は単一のレチクル構造ならびにその対応する画像およびシミュレーションした画像に関係しているが、本技術はレチクル上の複数の構造の複数の画像に適用することができる。
【００２６】
各レチクル画像（算出および測定された）はまた、複数のｘｙ座標または強度ピクセルのアレイにおける複数の強度値から成ることになる。１つまたは複数のレチクル画像は、各種の画像化条件または「ビュー」もしくは「ｖ」設定、例えばレチクルからの反射光および／または透過光の検出、特定波長、焦点オフセット、照明の瞳分布、照明の偏光状態、収集光学部品の開口数、開口形状、瞳フィルタ設定、アナライザ設定、などの下で取得することもできる。例えば、異なる位相および振幅設定は、照明および／または収集瞳の異なる位置に対して設定することができる。別の実施例では、異なるＳまたはＰ偏光を選択することができる。つまり、検査ツールの照明および／または収集設定の各種の組合せは、レチクル画像を取得するために用いることができる。
【００２７】
このように、レチクル画像の各セットは、複数の異なるｘ，ｙおよび１つまたは複数のビュー設定での複数の強度値に対応する。複数のビューを用いて複数のレチクル画像を取得するときに、レチクル画像のセットは異なるｘ，ｙ，ｖ値によって索引付けられる強度値のセットとして表すことができる。単一ビューからのレチクル画像は、データの貴重なソース（すなわち、異なるレチクル位置の強度値）を提供し、一方で、異なるビューで取得した画像は、更に後述するようにＣＤを見つけるための処理技術のためのより多くのデータを提供する。
【００２８】
画像化されているレチクル上の同じパターン／構造のための設計データベース１０８を計算モデル１１０に与えて、このようなパターン／構造のための算出レチクル画像１１２を生成することもできる。設計データベースは、例えばレチクルが製造された直後に実行される、ダイ対データベース欠陥検査において一般的に利用できる。設計データベース１０８は、パターンの記述およびレチクル１０２上の構造を含む。１つの実施例において、グレースケール値を有するデータベース（ＤＢ）画像は、データベースポリゴンまたは二次元の形状からラスター化される。このようなデータベースは、通常、ＯＡＳＩＳ、ＭＥＢＥＳまたはＧＤＳＩＩフォーマットのファイルによって送信される。
【００２９】
本モデルは、構造／パターンおよび、定数および１つまたは複数の調節可能パラメータ（例えば、ＣＤ）を含む検査ツールパラメータの所与のセットのための異なる算出画像を生成するように、任意の好適な方法で構成することができる。各ライン特徴およびその周囲の隣接部または背景のモデル化された画像クリップを生成することができる。一般に、モデルは、実際のレチクルに用いられてレチクル画像を取得する特定の画像化ツールの光学的特性をシミュレーションする。
【００３０】
各モデル化された画像クリップは、このような特定の目標から特定の距離の範囲内の特定の目標構造およびその周囲の隣接部に基づいて生成するのが好ましい。クリップのサイズは、目標およびこのような目標から間隔をおいた距離に依存し、その距離とは、任意の隣接構造が、結果として得られるモデル化された目標画像への光学効果をおそらく有するかまたは、有する可能性がある距離である。例えば、画像クリップは特徴、および、特徴からの画像化システムの点広がり関数の１０倍の距離の範囲内である任意の隣接特徴または領域を含むように、サイズ設定することができる。モデルは、検査ツールまたはその他モデル化されている画像化光学ツールに存在する光学効果の少なくともいくつかを含む。例示モデルは、ＫＬＡ−Ｔｅｎｃｏｒのレチクル検査システムなどにおいて使用するデータベースレンダリングモデルを含む。
【００３１】
例えば、レチクル上の試験中のパターンの記述はモデルに入力される。一般に、試験中の構造の記述およびその周囲の背景は、設計データベースおよびモデルへの入力から通常は取得される。すなわち、検査されている特定の構造の位置は、設計データベースから対応する構造およびその周囲の背景記述を読み出すために用いる。試験中のパターンのための他のモデル入力パラメータは、レチクル材料の光学的特性を含むことができる。
【００３２】
モデルは、定数パラメータ、およびＣＤを含む１つまたは複数の調節可能パラメータを含む、パターンパラメータの所与のセットに対する異なる算出画像を生成するように、任意の好適な方法で構成することができる。例えば、レチクル上のパターンの記述がモデルに入力される。パターンモデルパラメータは、パターン、レチクル材料の光学的特性、などの輪郭寸法を含むことができる。一実施形態において、レチクルにエッチングされるパターンのエッジの輪郭は、一定であるとみなされる。最も単純な実装において、エッジは、垂直であるとみなされる。図２は、マスク上の三次元パターン２００の物理モデルの表現の横断面図である。マスクパターンは、レチクル基板上に堆積される多くの層にエッチングされる。示すように、パターン表現２００は、レチクルの基板２０２上へパターン化される第１の層２０４ａおよび第２の層２０４ｂを有する。各層の屈折率の実部および虚部ならびに厚みは、計算モデルに入力することができる。実際のレチクルのエッチングされていない膜スタックの屈折率および厚み（例えば、ｔ１およびｔ２）は、楕円偏光計で測定することができる。マスクパターンは、調節可能な関連するＣＤも有する。
【００３３】
検査ツールの光学構成も、モデル化することができる。加えて、検査ツールの収差は、周期的に特徴づけられることができ、測定することができて、モデルに入力することができる。例えば、干渉計技術を、検査ツールの収差を測定するために用いることができる。
【００３４】
診断用構造を使用して収差を測定する別の方法は、２０１６年５月１０日に特許付与されたチアン  チャン（Ｑｉａｎｇ  Ｚｈａｎｇ）らによる米国特許第９，３３５，２０６号に更に記載されており、それは全ての目的のためにその全体を本願に引用して援用する。１つの方法において、診断試験パターンは、できるだけ一様に実質的に瞳を満たすようにＥＵＶ光強度を回折させるように、設計されている。加えて、診断マスク実施形態は、画像化された試験構造と画像化された背景の間でハイコントラストに結果としてなる試験構造および周囲の背景材料を含む。
【００３５】
診断マスクの試験パターンの限界横方向寸法は、投影光学部品の解像度に相当するか、または、それ未満となるように設計することができる。一実施形態において、試験パターンは、数十ナノメートル（ｎｍ）以下である。診断マスクは、試験構造がＥＵＶ光源の下で画像化されるときに高い光学解像度およびコントラストを提供すると共に、このような微細解画像度レベルでリソグラフィパターニングをサポートするように設計してもよい。
【００３６】
一実施形態において、診断マスクは薄型ＥＵＶ多層（ＭＬ）リフレクタ設計に基づいており、高屈折率コントラストを有する２つの交互低吸収材料から成る。４０〜６０対のＭｏ／Ｓｉ二重層を概して含む製造レチクルに見られるリフレクタとは対照的に、診断マスクは、約１５未満または約１０未満、例えば５つの、Ｍｏ／Ｓｉ二重層の対を有するＭＬピラーまたはピンホールを含む。１０未満の二重層またはＭＬ部の対を使用する結果は、多層リフレクタのバンド幅が著しく増加するということになる。加えて、二重層（例えば、Ｍｏ／Ｓｉ）の厚みまたは周期は、更に関心がある角度範囲の反射率を平坦化するために、約７．０から７．５ｎｍの間の範囲にわたって調節することができる。
【００３７】
一般に、波面収差は、検査画像化システムを用いて、診断用試験構造にキャプチャされる、波頭が測定されることになっている画像に基づいて、位相回復方法で測定することができる。診断用構造の、理想とされる非収差画像は算出することができ、そして対応する測定画像と比較されて、検査システムの収差の特徴描写を取得することができる。位相回復技術、例えばＰ．ダークセン（Ｐ．Ｄｉｒｋｓｅｎ）らによる、「Ｃｈａｒａｃｔｅｒｉｚａｔｉｏｎ  ｏｆ  ａ  ｐｒｏｊｅｃｔｉｏｎ  ｌｅｎｓ  ｕｓｉｎｇ  ｔｈｅ  ｅｘｔｅｎｄｅｄ  Ｎｉｊｂｏｅｒ−Ｚｅｒｎｉｋｅ  ａｐｐｒｏａｃｈ」  Ｐｒｏｃｅｅｄｉｎｇｓ  ｏｆ  ＳＰＩＥ  ｖ４６９１，１３９２（２００２）に記載されている技術を用いることができ、その論文は参照により本願に引用して援用する。
【００３８】
算出レチクル画像を形成するためのモデルをもう一度参照すると、他のモデルのパラメータは、通常、検査ツールならびにこのようなツールのビュー設定の記述を含むことができ、その中には、レチクルからの反射光および／または透過光の検出、特定波長、焦点オフセット、照明の瞳分布、照明の偏光状態、収集光学部品の開口数、開口形状、瞳フィルタ設定、アナライザ設定、などを含むことができる。モデルレチクル画像は、実際の測定されたレチクル画像を取得するために用いたビューに対して生成することができる。
【００３９】
一般に、計算モデルは、レチクルにエッチングされる特定のパターンまたは構造と、照明がどのように相互作用するかについて、算出する。この目的のために、厳密結合波解析（ＲＣＷＡ）法を用いることができる。有限差分時間領域（ＦＤＴＤ）、境界積分方程式、体積積分等式、有限要素法（ＦＥＭ）、スペクトル要素法、キルヒホッフ近似などの他の方法も可能である。
【００４０】
計算モデルは、正確にわかっていない調節可能パラメータを有する。最も重要な調節可能パラメータは、判定／計測されるべき量である限界寸法（ＣＤ）である。設計データベースは意図された寸法を有するパターン化された構造を含み、実際のレチクルはこのような意図された寸法から、例えばＣＤバイアスによって逸脱し得る、対応するパターン化された構造を有する。設計データベースパターン構造の寸法は、調節することができて、それから、このような調節されたパターンのための結果として得られる画像を算出するために用いることができる。
【００４１】
ＣＤに加えて、モデルは他の調節可能パラメータを有することができる。例えば、画像化システムの焦点および光強度などのいくつかのパラメータは、変動する可能性があり、したがって不確かな場合がある。他のモデルのパラメータは、「かなりよく」公知であり得るか、または一定の高い確度を有することができる。より多くのパラメータが調節されると、結果はより再現可能でなく、そしてより正確でないようになる。したがって、モデルのために選択される調節可能パラメータの数は、正確なＣＤ結果を成し遂げる目的とバランスさせる。このように、モデルのパラメータは、可能な限り測定されて公知なものである。一実施形態においては、ＣＤおよび焦点だけがモデルにおいて調節されて、モデル画像を生成する。
【００４２】
画像上の不確実パラメータの効果がＣＤの効果とは十分に区別されるときは、不確かな画像化パラメータは算出および測定画像をすり合わせるためにＣＤと同時に調節される。ある実施形態において、調節可能パラメータは均一のバイアスΔＣＤであり、そのためレチクルデータベースパターンの全ての形状の全てのエッジがΔＣＤによってバイアスされる。
【００４３】
図１のプロセスをもう一度参照すると、測定画像１０６およびモデルによってできる算出画像１１２は動作１１４において差分を求め、差のノルムが算出される。例えば、画像の差のノルムは、ピクセル単位画像の平方和である。画像の差の他のノルムは、ピクセル単位画像差の加重平方和、絶対値の和または絶対値の最大値を含む。
【００４４】
それから、繰り返しプロセスは、１つまたは複数の差量を最小化するように実行することができる。示すように、動作１１６において差のノルムが十分に小さいかどうかを判定することができる。その量が適切に小さくない場合、動作１１８において、差のこのようなノルムを減少させる方法で、ＣＤおよび他の１つまたは複数の未知パラメータの推定値は変えることができる。差のノルムが十分に小さいときには、画像比較との差の最小化されたノルムに結果としてなったモデルＣＤは次に、動作１２０の出力とすることができる。次に、このモデルＣＤは（例えば、図２に示すように）、対応するパターンの実際の、または測定されたＣＤとして定義することができる。
【００４５】
一般に、算出および測定画像は、差のノルムを得るためにすり合わせる。このすり合わせプロセスは、算出および測定画像の差のノルムを最小化することによって実行することができる。うまく働く好適なノルムの例としては、以下のように、加重ｌ１およびｌ２ノルムが含まれる。
【００４６】
【数１】
2018527619.tif 000003
【００４７】
【数２】
2018527619.tif 000004
【００４８】
ｌ２ノルム（２乗誤差の和）の使用は、ｌ２ノルムを最小化するアルゴリズムをより速く実行することを可能にする。パターン構造ごとの合計は、ｖによって索引付けられる複数の画像ピクセルｘ，ｙおよびビューにわたって行うことができる。
【００４９】
モデルが測定画像の実際のパラメータ、例えばＣＤと正確に一致する入力を有する場合、上記等式１および２の量はゼロである。モデルへの入力として選ばれるＣＤが画像化された構造の実際のＣＤと異なる場合、その量は等式１および２に対して正の数である。
【００５０】
量ｗ（ｘ，ｙ，ｖ）は、異なるセットのピクセルおよびビューに対する相対値を配置する正の重みである。具体的な重みは、画像の精度に基づいて、ある場所およびビューに対して決定することができる。画像のよりノイズが多いビューまたは部分には、より少ない重みが与えられる。
【００５１】
等式１および２に対して例示されるように、算出画像は単一のビューまたは複数のビューのための測定画像にすり合わせることができる。ビューとは、反射光または透過光によって形成される画像などの特定の画像化状態を指す。ビューは、レチクルからの反射光および／または透過光の検出、特定波長、焦点オフセット、照明の瞳分布、照明の偏光状態、収集光学部品の開口数、開口形状、瞳フィルタ設定、アナライザ設定、などのうち１つまたは複数によって異なったものとなり得る。
【００５２】
２つ以上のビューを用いると、複数のビューの測定画像は単一の調節可能なＣＤパラメータを有する１つの物理モデルと同時にすり合わせることができる。複数のビューは、調節可能なＣＤをより良く抑制して、ＣＤ計測の不確実度を減らす。
【００５３】
１つのアプローチでは、反射画像および透過画像は、同時にすり合わせる。１つの実施例においては、反射画像および透過画像に共通である、１つの調節可能なＣＤパラメータおよび１つの焦点パラメータだけしかない。別の方法では、周知の焦点オフセットを有する２つの透過画像は、同時にすり合わせる。この実施例では、ただ１つの調節可能なＣＤパラメータおよび調節されることを必要とするただ１つの焦点パラメータだけがある。
【００５４】
ＣＤを決定するために、モデルと測定画像の間の差のノルム式は、任意の好適な方法で特定のＣＤのために最小化することができる。等式２などの式を最小化する方法はよく知られている。具体的な実装において、最小化は、以下によって達成することができる。
【００５５】
【数３】
2018527619.tif 000005
【００５６】
等式３の最小化は、ＣＤおよびｐに関するものである。後者の量ｐは、画像化システムの不確実パラメータの配列である。不確実パラメータは、例として、焦点および照度を含むことができる。
【００５７】
代替の実施形態において、最大事後確率（ＭＡＰ）推定を用いることができる。算出および測定レチクル画像に対するＭＡＰの適用は、等式４として表すことができる。
【００５８】
【数４】
2018527619.tif 000006
【００５９】
σ（ｘ，ｙ，ｖ）はビューｖのピクセル（ｘ，ｙ）の強度測定の不確実度であり、そして、ｐｉは画像化システムの第ｉ番目の不確実パラメータである。例えば、ｐ１は焦点であり、ｐ２は光の強度である。Ｅ（ｐｉ）は、ｐｉの期待値である。σ（ｐｉ）は、ｐｉの不確実度である。各量は、その不確実度に反比例して重み付けされる。不確実パラメータごとの不確実度は、画像化ツールの設計許容度から、または、不確実パラメータのサンプルを測定すること、および、サンプルの分散を算出することによって決定することができる。この重み付け技術によって、上記の式、等式４の項の相対的重要度を、正しく設定することができる。
【００６０】
ＭＡＰの最も一般的な定式化は、観察を与えられる下での未知パラメータの確率分布関数、つまりｐｄｆ（未知パラメータ｜観察）を最小化することを含む。この定式化は、全ての測定誤差および未知パラメータがガウス分布となっており、かつあらゆる量が統計的に独立している場合は、上述の等式４に減少する。
【００６１】
本発明の一定の実施形態によって、全ての画像が最尤推定法に従ってＣＤを決定するために使われることができる。古い方法は、閾値に関して画像の一部を使用するだけである。上記の技術は、閾値を使用する必要はない。図３は、本発明の一実施形態によって算出および測定されたレチクル画像の間に回帰分析を実行することから得られる結果のグラフである。図３は、実際データに対応して、モデル出力が実際の画像と密接に一致することを示す。すなわち、線構造に対する測定された反射強度データ（３０２ａ）は、このような線構造に対する算出された（またはレンダリングされた）反射強度データ（３０２ｂ）と正確に一致する。同様に、透過した測定された強度データ（３０４ａ）は、透過したレンダリングされた強度データ（３０４ｂ）と密接に一致する。このように、反射ビューおよび透過ビューの両方に対して、１つの共通のＣＤが、モデルおよび実際の強度データにおいて一致する結果となる。したがって、同じＣＤ結果が同じレチクル構造に対する異なるビューパラメータに対して取得されるので、本技術はＣＤバイアスを見つけるための精密な機構を提供すると思われる。
【００６２】
ＣＤバイアス結果は、結合して、レチクル全体に対するＣＤ均一性（ＣＤＵ）マップを形成することができる。次いで、ＣＤＵマップは、更に本明細書において記載されているように、レチクルが仕様の範囲内であるかどうか決定するために分析することができる。ＣＤＵマップの実施形態は、いかなる適切な形もとることができる。例えば、ＣＤＵマップは、レチクルの各領域の平均ＣＤ変動値のリストとしてテキスト形式で表すことができる。各平均ＣＤ変動値は、対応するレチクル領域座標と一緒にリストにすることができる。ＣＤＵマップは、グリッドポイント差の値の標準偏差または分散などの測定基準によって表すこともできる。あるいは、または、加えて、ＣＤＵマップは視覚的に表すことができ、その結果、異なるＣＤ変動値または範囲が異なる見え方で、例えば異なって着色したレチクル領域、異なる棒グラフ高さ、異なるグラフ値または三次元表現などとして示される。ＣＤＵマップは、異なるグリッドポイントのサンプリングサイズによって、または、多項式の適合またはフーリエ変換などの異なる関数形式に対する適合によって表すことができる。
【００６３】
これらのＣＤＵマップは、半導体チップメーカがレチクルの使用の結果生じるプロセスウィンドウを理解するために重要である。ＣＤＵマップによって、レチクルを使用するべきであるか、リソグラフィプロセスにおける誤差のための補整を適用するべきであるか、または、改良された次のレチクルを形成するようにレチクルの製造を改善するべきかどうかを、チップメーカが決定することが可能となる。ＣＤＵマップは、製造に欠陥がある領域を検出するように、新しく製造されたレチクルのために生成して分析することができ、あるいは、特徴変化をモニタしおよび／または劣化を検出するように、フォトリソグラフィープロセスで１回以上使われたレチクルに実行することができる。
【００６４】
図４は、本発明の一実施形態によるＣＤＵマップ解析手順４００を例示するフローチャートである。最初に、ＣＤＵマップは、動作４０２において取得することができる。例えば、ＣＤＵマップは、レチクル全体の複数パターン／構造に対して図１のＣＤバイアス判定プロセスを実行することによって取得される。
【００６５】
それから、動作４０４においてＣＤＵマップが仕様から外れているかどうかを判定することができる。例えば、特定のレチクル領域に対するＣＤＵ変動が定義済み閾値を超えるかどうかを判定することができる。ＣＤＵ変動が定義済み閾値を超えない場合、次にレチクルは動作４０５においてウェーハを作るために用いることができる。
【００６６】
ＣＤＵ変動が定義済み閾値を超える場合、根本原因として関連したプロセスまたはパターンに対応する仕様外ＣＤＵマップのための共通の符号を、動作４０８において取得することができる。ＣＤＵマップを用いて、例えば、レチクル製造／プロセス問題または時間経過に伴うレチクルの劣化、例えばクロム、ＭｏＳｉ、ペリクル、クリーニングタイプ劣化によって生じる、レチクル上の問題領域を追跡することができる。言い換えれば、特定の仕様外ＣＤＵマップは、以前特定の根本原因と関係していた特定の符号を有することができる。例えば、レチクルまたはレチクルプロセスの以前の検査および分析が、根本原因問題および関連するＣＤＵ符号を明らかにしている場合がある。
【００６７】
図示の例をもう一度参照すると、レチクルパターンかプロセスが根本原因であるかどうかを、次に動作４１０で判定することができる。例えば、ＣＤＵマップが、汚れたペリクルなどの特定の根本原因と関係していた符号を有するかどうかを判定することができる。レチクルパターンが根本原因である場合、レチクルが修復可能かどうかを、次に動作４１４で判定することができる。レチクルが修復可能でない場合、動作４１８において、それは廃棄することができる（そして、新規なレチクルが製造される）。そうでない場合、レチクルは、動作４１６において修復される。例えば、一定の欠陥は、レチクルから取り去ることができる。例として、ペリクルは取り去るかもしくは置き換えることができ、または、余分のレチクル部はエッチングするかまたは除去することができる。修復の後、新規な検査は修復されたレチクルに実行することができ、そして、ＣＤＵマップを生成して分析するための手順は繰り返すことができる。修復されたレチクルが仕様の範囲内である場合、修復されたレチクルは次に動作４０５においてウェーハを作るために用いることができる。代替の実施例において、リソグラフィプロセスは、動作４１７において、例えば線量または焦点を修正することによって仕様外レチクルを補償するように調節することができ、動作４０５において、新規なプロセスをレチクルに使うことができる。一方で、レチクルを製造するプロセスが根本原因である場合、動作４１２において、レチクル製造プロセスは調節することができる（そしてレチクルは放棄され、新規なレチクルが製造される）。
【００６８】
検査の間、レチクルの複数の画像は光学検査ツールを使用して取得することができる。画像獲得の間、複数の画像は、レチクル上の複数の目標構造に対して取得される。画像は、レチクルのセットのダイの各ダイの個々の領域から取得することができる。例えば、検査ツールは、入射光ビームがレチクル全体をスキャンする（つまりレチクルの各画像に対して移動する）につれて、反射光もしくは透過光または反射光と透過光の両方を、検出して集めるように動作可能とすることができる。入射光ビームは、各々が複数の画像を含むレチクルのスワス全体をスキャンすることができる。光は、この入射ビームに応答して各画像の複数のポイントまたはサブエリアから集められる。
【００６９】
検査ツールは、通常、このような検出光を強度値に対応する検出信号に変換するように動作可能であってもよい。検出信号は、レチクルの異なる位置で異なる強度値に対応する振幅値を有する電磁波形という形をとることができる。検出信号は強度値の単純リストおよび関連するレチクルポイント座標という形をとることもできる。検出信号は、レチクルの異なる位置またはスキャンポイントに対応する異なる強度値を有する画像という形をとることもできる。レチクル画像はレチクルの全ての位置がスキャンされて光が検出された後に生成することができ、または、レチクル画像の一部は各レチクル部がスキャンされるにつれて生成することができる。
【００７０】
強度データの各セットは、蛇行するまたはラスターパターンでレチクルから、画像を順次スキャンすることによって取得することができる。例えば、レチクル部の第１のスワスは、光学検査システムの光ビームによってｘの正の方向に左から右にスキャンされ、例えば、強度データの第１のセットを取得する。次に、レチクルはｙ方向のビームに関して移動する。次に、第２のスワスは、強度データの第２のセットを取得するｘの負の方向に右から左にスキャンされる。スワスは、ダイの最下行からダイの最上行まで、またはその逆に、順次スキャンされる。あるいは、レチクルの画像はレチクルの個々のターゲット領域へ移動することによって取得することができる。
【００７１】
一実施形態において、各画像に対する統合強度値は、レチクルの検査の間に検出される、反射光、透過光または両方ともに基づいて生成することができる。１つの例示的実装において、反射（Ｒ）値および透過（Ｔ）値は（Ｔ−Ｒ）／２によって結合することができる。反射信号は、概して透過信号と反対符号である。したがって、ＴおよびＲ信号を減算することは、信号を合計することになる。雑音源がＴおよびＲに対して異なるので、ノイズは結合信号から平均値になる傾向があり得る。Ｒおよび／またはＴ値に対する他の重み付けを用いて、関連する利点を有する画像のための統合強度値を生成することができる。いくつかの場合では、特定領域のためのＲおよびＴ信号は反対符号の代わりに同一符号を有することがあり得て、それは、結果が関連する領域において矛盾していて信頼できない可能性がある、ということを示すことができる。このように、ＲおよびＴの組合せは、十分に信頼できない場合は、このような領域において重みを減ずるか、または計算から除外することができる。
【００７２】
本発明の技術は、ハードウェアおよび／またはソフトウェアのいかなる好適な組合せにおいても実施することができる。図５は、本発明の技術を実施することができる例示検査システム５００の図である。検査システム５００は、検査ツールまたはスキャナ（図示せず）から入力５０２を受信することができる。検査システム５００は、設計データベースに基づいてレチクルの画像をモデル化するモデルから、入力５０２を受信することもできる（または、システム５００は設計データベースを受信し、次にこのようなモデル化された画像を生成することができる）。検査システムは、受信入力５０２を分配するためのデータ分配システム（例えば、５０４ａおよび５０４ｂ）、受信入力５０２の特有の画像または画像部分の処理のための強度信号（または画像）処理システム（例えば、画像プロセッサならびにメモリ５０６ａおよび５０６ｂ）、ΔＣＤマップを生成するためのマップジェネレータシステム（例えば、マップジェネレータプロセッサおよびメモリ５１２）、検査システムコンポーネント間の通信を可能とするためのネットワーク（例えば、切替えネットワーク５０８）、任意選択の大容量記憶装置５１６、そしてマップをレビューするための１つまたは複数の検査コントロールおよび／またはレビューステーション（例えば、５１０）を含むことができる。検査システム５００の各プロセッサは、概して１つまたは複数のマイクロプロセッサ集積回路を含むことができ、インタフェースおよび／またはメモリ集積回路を含むこともでき、加えて、１つまたは複数の共用および／またはグローバルなメモリ装置に連結することができる。
【００７３】
入力データ５０２を生成するためのスキャナまたはデータ収集システム（図示せず）は、レチクルの強度信号または画像を取得するために、（例えば、本明細書において更に記載されているように）任意の適切な機器の形をとることができる。例えば、スキャナは、反射されるか、透過されるか、または別の方法で、１つまたは複数の光センサに方向を定められる一部の検出光に基づいて、光学画像を作ることができるかまたはレチクルの一部の強度値を生成することができる。それから、スキャナは強度値を出力することができ、または、画像がスキャナから出力されてもよい。
【００７４】
レチクルは通常、複数のポイントからの複数の強度値が取得される複数の画像部分に分割される。レチクルの画像部分は、この強度データを取得するためにスキャンすることができる。画像部分は、特定のシステムおよびアプリケーション要件に応じて、任意のサイズおよび形状であってよい。一般に、画像部分ごとの複数の強度値は、任意の好適な方法でレチクルをスキャンすることによって取得することができる。例えば、画像部分ごとの複数の強度値は、レチクルをラスタースキャンすることによって取得することができる。あるいは、画像は、円形または螺旋状パターンなどの任意の適切なパターンで、レチクルをスキャンすることによって取得することができる。もちろん、円形または螺旋の形状をレチクルからスキャンするために、センサは異なって（例えば、円形パターンに）配置されなければならない場合があり、および／または、レチクルはスキャンの間、異なって移動される（例えば、回転される）可能性がある。
【００７５】
以下で例示される実施例において、レチクルがセンサを通過して移動するにつれて、光はレチクルの矩形状領域（本明細書において「スワス」と呼ぶ）から検出され、このような検出光は各画像の複数のポイントで複数の強度値に変換される。この実施形態において、スキャナのセンサは矩形パターンに配置されて、レチクルから反射光および／または透過光を受信し、そこから、レチクルの画像のスワスに対応する強度データのセットを生成する。
【００７６】
各画像に対する強度値は、任意の好適な方法で設定される光学検査ツールを使用して取得することができる。光学ツールは通常、動作用パラメータのセットまたは「レシピ」で設定され、それは、強度値を取得するための異なる検査実行に対して実質的に同一である。レシピ設定は、以下のうちの１つまたは複数を含むことができ、それらは、特定のパターンのレチクルをスキャンするための設定、ピクセルサイズ、単一信号からの隣接信号をグループ化するための設定、焦点設定、照明または検出開口設定、入射ビーム角および波長設定、検出器設定、反射光か透過光の量のための設定、空中モデリングパラメータ、などである。
【００７７】
強度または画像データ５０２は、ネットワーク５０８を介してデータ分配システムによって受信できる。データ分配システムは、受信データ５０２の少なくとも一部を保持するための１つまたは複数のメモリ素子、例えばＲＡＭバッファと関連付けることができる。全メモリは、データの全てのスワスを保持するために十分大きいことが好ましい。例えば、１ギガバイトのメモリは、１００万×１０００ピクセルまたはポイントであるスワスに対してうまく機能する。
【００７８】
データ分配システム（例えば、５０４ａおよび５０４ｂ）は、プロセッサ（例えば５０６ａおよび５０６ｂ）への受信入力データ５０２の部分の分配を制御することもできる。例えば、データ分配システムは、第１の画像プロセッサ５０６ａに第１の画像のためのデータを送ることができ、画像プロセッサ５０６ｂに第２の画像のためのデータを送ることができる。複数の画像のためのデータの複数のセットは、各画像プロセッサに送ることもできる。
【００７９】
画像プロセッサは、少なくともレチクルの画像部分に対応する強度値または画像を受信することができる。画像プロセッサは、各々例えば、１つまたは複数のメモリ素子（図示せず）、例えば、受信データ部を保持するなどのローカルメモリ機能を提供するＤＲＡＭデバイスに、連結するかまたはそれと統合することもできる。メモリは、レチクルの画像に対応するデータを保持するために十分大きいことが好ましい。例えば、８メガバイトのメモリは、５１２×１０２４ピクセルである画像に対応する強度値または画像に対してうまく機能する。画像プロセッサは、メモリを共有することもできる。
【００８０】
入力データ５０２の各セットは、レチクルのスワスに対応することができる。データの１つまたは複数のセットは、データ分配システムのメモリに格納することができる。このメモリはデータ分配システム内の１つまたは複数のプロセッサによって制御することができ、メモリは複数のパーティションに分割することができる。例えば、データ分配システムは第１のメモリパーティション（図示せず）にスワスの一部に対応するデータを受信することができ、データ分配システムは第２のメモリパーティション（図示せず）に別のスワスに対応する別のデータを受信することができる。データ分配システムの各メモリパーティションは、このようなメモリパーティションと関連したプロセッサに送られることになっているデータのある部分を保持するだけであることが好ましい。例えば、データ分配システムの第１のメモリパーティションは画像プロセッサ５０６ａへの第１のデータを保持して送ることができ、第２のメモリパーティションは画像プロセッサ５０６ｂへの第２のデータを保持して送ることができる。
【００８１】
検出信号は、空中画像という形をとることもできる。すなわち、空中画像技術を用いて、ウェーハに露光するフォトレジストパターンの空中画像を作成するようにフォトリソグラフィシステムの光学効果をシミュレーションすることができる。一般に、フォトリソグラフィツールの光学部品は、レチクルからの検出信号に基づいて空中画像を作成するようにエミュレートされる。空中画像は、ウェーハのフォトレジスト層上へフォトリソグラフィ光学部品およびレチクルを通過する光から作り出されるパターンに対応する。加えて、特定のタイプのフォトレジスト材料のためのフォトレジスト露光プロセスもエミュレートすることができる。
【００８２】
入射光または検出光は任意の適切な空間開口を通過して、任意の適切な入射角で任意の入射光または検出光輪郭を作成することができる。例として、プログラム可能な照明または検出開口を利用して、例えば二重極、四重極、クエーサ、円環などの、特定のビーム輪郭を作ることができる。具体的な実施例としては、光源マスク同時最適化（ＳＭＯ）または任意のピクセル化された照明技術を実装することができる。
【００８３】
データ分配システムは、データの任意の適切なパラメータに基づくデータの、各データのセットを定めて分配することができる。例えば、データは、レチクル上の画像の対応する位置に基づいて定めて、分配することができる。一実施形態において、各スワスは、スワス内のピクセルの水平位置に対応するカラム位置の範囲と関連付けられる。例えば、スワスのカラム０〜２５６は第１の画像に対応することができ、そして、これらのカラム内のピクセルは第１の画像または強度値のセットを含むことになり、それは１つまたは複数の画像プロセッサに送られる。同様に、スワスのカラム２５７〜５１２は第２の画像に対応することができ、そして、これらのカラムのピクセルは強度値の第２の画像またはセットを含むことになり、それは異なる画像プロセッサ（複数可）に送られる。
【００８４】
図６Ａは、一定の実施形態に従ってフォトマスクＭからマスクパターンをウェーハＷに転写するために用いることができる典型的リソグラフィシステム６００の簡略図である。このようなシステムの実施例は、スキャナおよびステッパ、より具体的には、オランダのＶｅｌｄｈｏｖｅｎのＡＳＭＬから入手可能なＴＷＩＮＳＣＡＮシステムを含む。一般に、照明光源６０３は、照明光学部品６０７（例えば、レンズ６０５）を通してマスク平面６０２にあるフォトマスクＭ上へ光ビームの方向を定める。照明レンズ６０５は、その平面６０２で開口数６０１を有する。開口数６０１の値は、フォトマスク上のどの欠陥がリソグラフィの重大な欠陥であるか、そして、どの欠陥がそうでないか、に影響を与える。フォトマスクＭを通過するビームの一部は、画像化光学部品６１３を通ってウェーハＷ上へ方向を定められてパターン転送を開始する、パターン化された光学信号を形成する。
【００８５】
図６Ｂは、一定の実施形態による、照明光学部品６５１ａを有する例示検査システム６５０の概略図であり、これはレチクル平面６５２で相対的に大きい開口数６５１ｂを備える画像化レンズを含む。示した検査システム６５０は、例えば、６０〜３００Ｘ倍またはそれを上回る倍率を強化検査のために提供するように設計された顕微鏡的拡大倍率光学部品を含む、検出光学部品６５３ａおよび６５３ｂを含む。例えば、検査システムのレチクル平面６５２での開口数６５１ｂは、リソグラフィシステム６００のレチクル平面６０２での開口数６０１よりかなり大きくすることができ、それによって試験検査画像と実際の印字画像の差が生じる結果となる。
【００８６】
本明細書において記載する検査技術は、各種の特別に設定された検査システム、例えば図６Ｂにおいて略図で例示するものに実装することができる。図示するシステム６５０は、照明光学部品６５１ａを通ってレチクル平面６５２のフォトマスクＭ上へ方向を定められる光ビームを生成する照明光源６６０を含む。光源の例としては、レーザまたはフィルタ処理ランプが挙げられる。１つの実施例において、光源は、１９３ｎｍのレーザである。前述したように、検査システム６５０は、レチクル平面６５２で、対応するリソグラフィシステムのレチクル平面開口数（例えば、図６Ａの要素６０１）より大きくてもよい開口数６５１ｂを有することができる。検査されるフォトマスクＭは、レチクル平面６５２のマスクステージに配置されて、光源に露光される。
【００８７】
マスクＭからのパターン化された画像は一まとまりの光学素子６５３ａによって方向を定められ、それがパターン化された画像をセンサ６５４ａに投影する。反射型システムにおいて、光学要素（例えば、ビームスプリッタ６７６および検出レンズ６７８）は、センサ６５４ｂ上へ反射光を導いて、キャプチャする。適切なセンサは、電荷結合素子（ＣＣＤ）、ＣＣＤアレイ、時間遅延集積化（ＴＤＩ）センサ、ＴＤＩセンサアレイ、光電子増倍管（ＰＭＴ）および他のセンサを含む。
【００８８】
レチクルの画像をスキャンするように任意の適切な機構によって、照明光学部品カラムをマスクステージに対して移動してもよく、および／または、ステージを検出器またはカメラに対して移動してもよい。例えば、モータ機構は、ステージを移動するために利用することができる。モータ機構は、例として、ネジドライブおよびステッパーモータ、フィードバック位置を有するリニアドライブ、またはバンドアクチュエータおよびステッパーモータから形成することができる。
【００８９】
各センサ（例えば、６５４ａおよび／または６５４ｂ）によってキャプチャされる信号は、コンピュータシステム６７３によって、または、更に一般的にいえば、１つまたは複数の信号処理装置によって処理することができ、それはそれぞれ、各センサからのアナログ信号を処理のためにデジタル信号に変えるように構成されるアナログデジタル変換器を含む。コンピュータシステム６７３は通常、入出力ポートに連結する１つまたは複数のプロセッサおよび、適切なバスを介した１つまたは複数のメモリまたは他の通信機構を有する。
【００９０】
コンピュータシステム６７３は、変化している焦点および他の検査のレシピパラメータなどのユーザ入力を提供するための１つまたは複数の入力装置（例えば、キーボード、マウス、ジョイスティック）を含むこともできる。コンピュータシステム６７３はまた、例えばサンプル位置を制御（例えば、フォーカシングおよびスキャン）するためのステージに接続することができ、そして他の検査パラメータおよびこのような検査システムコンポーネントの構成を制御するための他の検査システムコンポーネントに接続することもできる。
【００９１】
コンピュータシステム６７３は、結果として生じる強度値、画像ならびにＣＤバイアス値およびマップなどの他の検査結果を示すために、ユーザインターフェース（例えば、コンピュータ画面）を提供するように（例えば、プログラミング命令によって）構成することができる。コンピュータシステム６７３は、反射されたおよび／または透過された検知光ビームの輝度変化、位相、ＣＤＵマップおよび／または他の特性を分析するように構成することができる。コンピュータシステム６７３は、結果として生じる強度値、画像および他の検査特性を示すために、ユーザインターフェース（例えば、コンピュータ画面上）を提供するように（例えば、プログラミング命令によって）構成することができる。一定の実施形態では、コンピュータシステム６７３は上に詳述される検査技術を実施するように構成される。
【００９２】
このような情報およびプログラム命令は特別に構成されたコンピュータシステム上に実装されるので、このようなシステムは、本明細書において記載されている各種の動作を実行するための、コンピュータ可読媒体に保存することができるプログラム命令／コンピュータコードを含む。マシン可読媒体の例は、ハードディスク、フロッピー（登録商標）ディスクおよび磁気テープなどの磁気媒体、ＣＤ−ＲＯＭディスクなどの光学媒体、光ディスクなどの光磁気媒体、プログラム命令を保存して実行するように特別に構成される読取り専用メモリデバイス（ＲＯＭ）およびランダムアクセスメモリ（ＲＡＭ）などのハードウェアデバイスを含むが、これに限定されるものではない。プログラム命令の例は、コンパイラで生成されるようなマシンコードと、インタプリタを用いてコンピュータによって実行される高レベルコードが入っているファイルとを、両方とも含んでいる。
【００９３】
一定の実施形態では、フォトマスクを検査するシステムは、本明細書において記載されている技術を実行するように構成される少なくとも１つのメモリおよび少なくとも１つのプロセッサを含む。検査システムの１つの実施例は、米国カリフォルニア州ミルピタスのＫＬＡ−Ｔｅｎｃｏｒから入手可能な、特別に構成されたＴｅｒａＳｃａｎ（商標）ＤＵＶ検査システムを含む。
【００９４】
前述の本発明を、明快に理解できるようにある程度詳細に説明したが、一定の変更および修正が添付の特許請求の範囲の範囲内で実施できることは明らかである。プロセス、システムおよび本発明の装置を実施する多くの代替的な方法があることに留意すべきである。したがって、本実施形態は例示的であり限定的でないと考えるべきであり、本発明は本明細書において与えられる詳細に限定されるべきではない。
【図１】
2018527619.tif 000009
【図２】
2018527619.tif 000010
【図３】
2018527619.tif 000011
【図４】
2018527619.tif 000012
【図５】
2018527619.tif 000013
【図６Ａ】
2018527619.tif 000014
【図６Ｂ】
2018527619.tif 000015
【国際調査報告】
2018527619.tif 000016
2018527619.tif 000017